(57)【特許請求の範囲】
【請求項１】
リール脚載置面を備えたシート本体と、このシート本体に対向配置された固定フード及び移動フードと、前記シート本体に形成された係止凹凸部と、前記移動フードに組み付けられ、前記係止凹凸部に係止される爪部を備えた係止バネと、前記移動フードに回動可能に設けられ、前記係止バネの表面に摺動して前記係止バネを押え付けて前記爪部を係止凹凸部に係合させるカム部を備えた緊締レバーと、を有するリール脚固定装置において、
前記緊締レバーのカム部を回動可能に保持する支持部を前記移動フードに設けると共に、前記緊締レバーを倒伏回動して係止バネが係止凹凸部に係合した後に前記カム部の摺動を受け止める受止手段を前記係止バネに設け、
前記カム部は、前記緊締レバーを倒伏回動して、前記カム部が受止手段によって受け止められた後、その位置を支点として前記支持部の内壁面を押圧して移動フードを固定フード側にシフトさせると共に、前記緊締レバーの起立回動時に、前記係止バネが係止凹凸部から離脱する前に前記移動フードを反固定フード側にシフトさせることを特徴とするリール脚固定装置。
【請求項２】
前記カム部は、前記係止バネの表面を摺動する第一カムと、前記支持部の内壁面を押圧する第二カムとを備えており、
前記第二カムは、前記緊締レバーの起立回動時に、前記支持部の内壁面を押圧して移動フードを反固定フード側にシフトさせることを特徴とする請求項１に記載のリール脚固定装置。
【請求項３】
前記第一カムと前記係止バネの表面の摩擦抵抗は、前記緊締レバーの起立回動時に、前記第二カムが前記支持部の内壁面を押圧して前記移動フードを反固定フード側にシフトさせた後、前記第一カムが係止バネの表面を摺動するように構成されていることを特徴とする請求項２に記載のリール脚固定装置。
【発明の詳細な説明】
【０００１】
【発明の属する技術分野】
本発明は、釣竿に装着され、各種の魚釣用リールを着脱するリール脚固定装置に関する。
【０００２】
【従来の技術】
従来、リール脚固定装置として、例えば、特許第２８４４２８５号に開示されている構成が知られている。
【０００３】
このリール脚固定装置は、移動フードに係止バネを組み付けており、緊締レバーの起伏操作に伴い、係止バネに対して移動フードが所定の距離（遊動間隙分）だけ軸方向に移動できるように構成されている。具体的には、前記係止バネに谷部を形成しておき、この谷部に、緊締レバーと一体形成されたカム片の先端縁を係合させ、カム片の先端が谷部の前方および後方の傾斜面を駆け上がることで、上記したようなシフト移動を可能にしている。
【０００４】
すなわち、緊締レバーが起立状態にあるときは、係止バネは移動フードに対して最も固定フード側にシフトしており、ここからリール脚を保持すべく、緊締レバーを倒してゆくと、係止バネが下方に押圧されて、その端部に形成されている爪がシート本体の係止歯列に噛み、係止バネの移動が規制される。そして、さらに緊締レバーを倒すと、カム片の先端が、係止バネの谷部から後方傾斜面を駆け上がり、係止バネから反発力を受けるようになる。この結果、緊締レバーに反発力が作用して、軸承部を介して移動フードを固定フードに向けて所定の距離だけ移動させることができる。
【０００５】
このような構成によって、リール装着時において、移動フードをリール脚に押え付けて緊締レバーを倒した際、移動フードが固定フード側にシフトするため、その緊締保持力を向上することできる。
【０００６】
【発明が解決しようとする課題】
上記したような移動フードの固定フード側へのシフト作用は、緊締レバーを倒す際に、係止バネが移動フードに対して最も固定フード側にシフトした状態に無ければ発揮することはできない。そして、この係止バネの固定フード側へのシフトは、緊締レバーを最も起立させた際に、カム片の先端が係止バネの谷部の前方傾斜面を駆け上がることで成される。
【０００７】
ところが、緊締レバーをある程度起立させると、係止バネの端部に形成されている爪がリールシートの係止歯列から外れてしまい、移動フードが自由にスライドできるため、使用者は、リールを取外すに際して、緊締レバーを最も起立させないことが多い。この結果、次に、リールを装着する際、係止バネは固定フード側に移動していないため、上述したようなシフト作用が発揮されなくなってしまう（緊締保持力の向上作用が得られなくなってしまう）。
【０００８】
また、リール脚を固定すべく、緊締レバーを倒す際、移動フードの軸承部と緊締レバーの軸部との接触位置が支点となって、カム片の先端を係止バネの谷部から後方傾斜面を駆け上がらせる構成のため、係止バネの弾性力等によって、その動作が重くなり、緊締レバーのスムースな倒伏操作が行なえない。
【０００９】
この発明は、上述した問題点に基づいて成されたものであり、リールの装着時において、緊締レバーによって移動フードを固定する際、常に、移動フードの前方へのシフト作用が得られ、更には、緊締レバーの起立、倒伏操作がスムースに行なえるリール脚固定装置を提供することを目的とする。
【００１０】
【課題を解決するための手段】
上記課題を解決するために本発明のリール脚固定装置は、リール脚載置面を備えたシート本体と、このシート本体に対向配置された固定フード及び移動フードと、前記シート本体に形成された係止凹凸部と、前記移動フードに組み付けられ、前記係止凹凸部に係止される爪部を備えた係止バネと、前記移動フードに回動可能に設けられ、前記係止バネの表面に摺動して前記係止バネを押え付けて前記爪部を係止凹凸部に係合させるカム部を備えた緊締レバーと、を有しており、前記緊締レバーのカム部を回動可能に保持する支持部を前記移動フードに設けると共に、前記緊締レバーを倒伏回動して係止バネが係止凹凸部に係合した後に前記カム部の摺動を受け止める受止手段を前記係止バネに設け、前記カム部は、前記緊締レバーを倒伏回動して、前記カム部が受止手段によって受け止められた後、その位置を支点として前記支持部の内壁面を押圧して移動フードを固定フード側にシフトさせると共に、前記緊締レバーの起立回動時に、前記係止バネが係止凹凸部から離脱する前に前記移動フードを反固定フード側にシフトさせることを特徴としている。
【００１５】
【発明の実施の形態】
図１〜図６は、本発明に係るリール脚固定装置の第１の実施形態を示す図であって、図１は平面図、図２は側面図、図３は緊締レバーを起こした状態を示す移動フード部分の拡大平面図、図４は緊締レバーを起こした状態を示す移動フード部分の縦断面図、図５は緊締レバーを途中まで倒した状態を示す移動フード部分の縦断面図、そして、図６は緊締レバーを倒した状態を示す移動フード部分の縦断面図である。
【００１６】
リール脚固定装置１は、ＳＵＳ、ＢＳ、Ａｌ等の金属、あるいは合成樹脂によって板状に成形されたシート本体３を備えており、その前後に一体形成された足部３ａを糸巻等することによって竿管表面に固定される。
【００１７】
シート本体３の後方側表面には、軸方向に沿って連続する係止凹凸部３ｂが形成されており、ここに後述する係止バネの爪部が係止されるようになっている。また、シート本体３の中央領域には、表面にリール脚載置面４ａを有する本体カバー４が固着されている。なお、このリール脚載置面は、シート本体に一体形成しても良い。
【００１８】
シート本体３の前側には、リール脚の前端部を受け入れるように開口し、合成樹脂、硬質ゴム、金属等によって形成されたリール脚受入部５ａを有する固定フード５が固定して取り付けられており、シート本体３の後側には、以下に詳述する移動フード７が軸方向にスライド自在に取り付けられている。具体的には、移動フード７は、図４に示すように、シート本体３の下端縁に対して折曲された第１折曲部７ａ、第２折曲部７ｂによって、脱落することなく、軸方向（前後方向）に沿って移動可能に支持されている。
【００１９】
なお、リール脚固定装置１の竿管に対する配設状態は任意であるが、本実施の形態では、便宜上、図２に示す状態において、左側を前方側（竿先側）、右側を後方側（竿元側）、リール脚載置面４ａがある側を上側、その反対側を下側として説明する。また、固定フード５は、移動フードと同様、軸方向に移動可能に構成されていても良い。
【００２０】
ここで、移動フード７の構成について説明する。
移動フード７は、折曲部７ａ，７ｂによって、シート本体３に対して軸方向に移動可能に支持されており、以下に詳述する部材を一体的に備え、シート本体３に対して移動可能となっている。
【００２１】
移動フード７は、金属等の耐磨耗性材料によって形成された移動フード本体９を備えており、移動フード本体９には、リール脚の後端部を受け入れるように開口し、合成樹脂、硬質ゴム、金属等によって形成されたリール脚受入部１０が設けられている。また、移動フード本体９の後部には、後方に向かって延出し、平坦状の左右一対のバネ受け面１１が形成されている。このバネ受け面１１は、軸方向に沿って所定の距離を有しており、後述する係止バネの張出部が載置されて、係止バネが軸方向にスライドするようになっている。
【００２２】
そして、各バネ受け面の後方側には、上方に向けて山状に湾曲する支持部１２が形成されており、その支持部１２の前端壁１２ａと前記移動フード本体９のリール脚受入部の後端壁１０ａとの間に、係止バネの張出部が載置され、係止バネは軸方向にスライドできるようになっている（図３において、係止バネがスライド可能な範囲をシフト量Ｘとして示してある）。
【００２３】
前記支持部１２には、後述する側片部を介して緊締レバー１５が回動可能に係合、保持されている。この緊締レバー１５は、手の指によって起伏操作可能な操作部１６と、操作部を起立させた状態において、操作部１６の下端から所定角度前方に屈曲形成されたカム部１７とを備えている。
【００２４】
前記操作部１６は、緊締レバーを倒伏操作した際、前記リール脚受入部１０の表面と重なるような形状を有しており、前記支持部１２を介して、図４および図６に示す位置の範囲内で回動操作可能となっている。
【００２５】
また、前記カム部１７には、支持部１２の夫々の内部空間に延出する一対の側片部１９が一体形成されており、各側片部の前縁１９ａ（カム部１７の前縁と一致している）は、後述する係止バネを横切って、その表面と接触するカム（第一カム）としての機能を有し、各側片部１９の後縁１９ｂは、支持部１２の壁面（内壁面１２ｂ）に接触するカム（第二カム）としての機能を有する。すなわち、緊締レバー１５は、カム部１７に形成されている一対の側片部１９が、それぞれの支持部１２の内壁面１２ｂと係合することによって抜け止めされて、かつ所定の角度範囲に亘って回動可能となっている。
【００２６】
また、カム部１７の前縁１９ａの中間部には、突起１９ｃが形成されており、後述する係止バネに形成されている受止手段を構成する孔部に入り込むようになっている。
【００２７】
前記移動フード本体９には、移動フード本体に対して前後方向にスライドできると共に、緊締レバー１５の側片部１９の前縁（第一カム）１９ａによって作動する板状の係止バネ２０が組み付けられている。この係止バネ２０には、図７（ａ）に示すように、その前端側に、左右に向けて突出する一対の張出部２１が形成されており、それぞれ上述したバネ受け面１１に載置されて、軸方向に摺動するようになっている。また、係止バネ２０の後端部には、図７（ｂ）に示すように、下方に向けて屈曲され、シート本体３の係止凹凸部３ｂに対して係止される爪部２２が形成されている。
【００２８】
係止バネ２０は、軸方向に延出して上下方向に弾性変形しやすいように形成されており、その前端部２３の表面は、移動フード本体９の裏面に形成されたバネ押え部９ａによって押え付けられるようになっている。
【００２９】
そして、係止バネ２０の張出部２１が形成されている部分より後方側は、前記カム部１７の前縁１９ａが摺動する作動面２５となっており、緊締レバー１５が回動操作された際、前縁１９ａによって押え付けられて、爪部２２を係止凹凸部３ｂ側に弾性変形させるようになっている。
【００３０】
このような構成において、係止バネ２０に、係止バネ２０が上下動し易やすいように、或いは全体として僅かな前後方向への変化を許容するように、適宜、屈曲させて弾性部を形成しておくことが望ましい。本実施形態では、例えば、図７（ａ）及び（ｂ）に示すように、作動面２５の略中間部分に、上方に湾曲させた弾性部２５ａを形成している。
【００３１】
また、バネ押え部９ａによって押え付けられる係止バネ２０の前端部２３に、爪部２２側を上方に跳ね上げる付勢力を与えるような弾性部を形成することが望ましい。本実施形態では、例えば、図７（ａ）及び（ｃ）に示すように、その中央部分を後方に向けて次第に広がるハの字状に盛り上げることで、そのような作用を与える弾性部を形成している。
【００３２】
さらに、前記緊締レバー１５が倒伏操作される場合、その前縁（第一カム）１９ａは、回動操作に伴って前記作動面２５上を前方から後方に向けて摺動することとなるが、緊締レバーが所定の位置に回動された際、前縁１９ａを受け止める（固定状態、もしくは略固定状態にする）ように、受止手段が形成されている。この場合、受止手段は、係止バネのみによって構成することができるが、本実施形態では、係止バネ２０の構造とカム部１７の前縁１９ａの構造とを協働させることで構成している。
【００３３】
具体的には、前記係止バネ２０の作動面２５の略中央領域に、軸方向に沿って延出する孔部２６を形成し、ここに前縁１９ａの中間部に形成した突起１９ｃが入り込むようにしている。すなわち、緊締レバー１５が起立状態から倒伏操作されると、突起１９ｃは、その回動に伴って孔部２６を前方から後方に向けて移動することとなるが、ある所定の回動位置にきた際、孔部後端２６ａに当て付いてそれ以上回動できないようになっている。
【００３４】
上述した構成において、リール脚を取り付ける際の一連の動作について説明する。
まず、緊締レバー１５を起立させた状態で、リール脚Ｌをリール脚載置面４ａに載置し、その前端部を固定フード５のリール脚受入部５ａに挿入する。そして、この状態で、図４に示すように、移動フード７を固定フード方向にスライドさせて、そのリール脚受入部１０をリール脚Ｌの後端部に押し付け、操作部１６を指で押圧して緊締レバー１５の倒伏操作を行なう。
【００３５】
この倒伏操作を行なう前の緊締レバーの起立状態では、係止バネ２０は、移動フード本体９に対して、相対的に前方に移動した状態、すなわち、図３に示すように、係止バネ２０の張出部２１の前端縁がリール脚受入部１０の後端壁１０ａに当て付いている（緊締レバー１５が起立した際、常に係止バネ２０が相対的に前方に移動している理由については後述する）。
【００３６】
そして、操作部１６に指を当て緊締レバー１５の倒伏操作を行なうと、最初、係止バネ２０の爪部２２は、係止凹凸部３ｂに対してフリーの状態となっているが、緊締レバー１５が倒れて行くに従い、その前縁（第一カム）１９ａが、作動面２５を押圧して係止バネ２０を下方に押し下げ、爪部２２が係止凹凸部３ｂに係合されて、係止バネ２０が固定状態になる。
【００３７】
さらに、操作部１６を押して、緊締レバー１５を所定の角度まで倒すと、移動フード７が、係止バネ２０に対して、上記したスライド量Ｘの分だけ、相対的に前方に移動されるようになっている。この移動作用は、上記した各側片部１９の後縁１９ｂが、支持部１２の内壁面１２ｂに接触するカム（第二カム）としての機能を果たすことによって成される。
【００３８】
すなわち、緊締レバー１５が倒伏されると、上記したように、所定の回動位置で突起１９ｃが係止バネ２０の孔部後端２６ａに当て付いて、前縁１９ａはそれ以上後方に移動できず、この位置（受止位置）が支点となって、各側片部１９は緊締レバー１５と共に回動する。これに伴い、各側片部の後縁１９ｂが支持部１２の湾曲した内壁面１２ｂとの間でカム作用を成し、移動フード７を固定フード側に移動させる。なお、この受止位置に至る前に、係止バネ２０は、下方向に移動されて爪部２２が凹凸部３ｂに係止されているため、支点位置が後方向にシフトすることは無く、安定したカム作用が得られる。
【００３９】
このような作用が得られるように、支持部１２の内壁面１２ｂおよび各側片部１９は、図８に示すような位置関係となるように構成されている。図８は、緊締レバー１５を倒伏している途中の状態を示しており、その前縁１９ａの中央領域に形成されている突起１９ｃが孔部２６の後端２６ａに当付いた状態を模式的に示したものである。
【００４０】
この状態に至る前に、緊締レバー１５の回動と共に後方に移動する前縁１９ａが作動面２５を下方に押圧することで、爪部２２は係止凹凸部３ｂに係合し、係止バネ２０は軸方向に移動しない状態になっており、この状態で前縁１９ａの中間部に形成した突起１９ｃが孔部２６に入り込むようにしている。そして、この緊締レバー１５の倒伏操作に伴い、突起１９ｃがその回動に伴って孔部２６を前方から後方に向けて移動すると、ある所定の回動位置にきた際、突起１９ｃが孔部後端２６ａに当て付いて、それ以上移動できないようにしている（この受止位置はそれ以後の緊締レバー１５の回動操作において、第二カムである後縁１９ｂの支点位置となる）。
【００４１】
図８において、この受止位置を中心とし、作動面２５に接触している前縁１９ａと後縁１９ｂの間の距離を半径とした円を符号Ｃで示してある。この円（基準円と称する）は、換言すれば突起１９ｃが受止位置で受け止められた後、さらに緊締レバー１５を倒した際の側片部１９の後縁１９ｂが描く回転軌跡である。
【００４２】
本実施形態では、上記した支持部１２の内壁面１２ｂは、頂部が滑らかに湾曲形成されており、側片部の前縁１９ａが受止位置で受け止められた際、その後縁１９ｂが頂部付近に位置し、かつ、このような関係において、固定フード側が基準円Ｃよりも内側となるように形成されている。具体的には、内壁面１２ｂは、前縁１９ａが受止位置で受け止められた際、頂部を基準として固定フード側が前記基準円Ｃより内側となるような曲面、もしくは傾斜付き曲面となるように形成されており、第二カムである後縁１９ｂが内壁面１２ｂの頂部を滑った後、後縁１９ｂによって内壁面を押圧し、支持部１２、すなわち移動フード本体９をシート本体３に対して前方に押すようになっている（図５参照）。
【００４３】
また、リール脚載置面に対する垂線をＹとした場合、カム部１７は、緊締レバー１５を倒伏した際、その垂線Ｙの位置、もしくは図に示すように、その少し前の位置（θ≦１０°）で受止位置となるように構成しておくのが好ましい。このように構成することで、受止位置が支点となった際に効率的なカム作用が得られるようになり、移動フード本体９を容易に前方に押出すことが可能となる。
【００４４】
そして、緊締レバー１５の操作部１６が、点線で示すように略水平方向になると完全な倒伏状態となる（図６参照）。このとき、後縁１９ｂと内壁面１２ｂとの当接位置Ｐ２は、初期位置Ｐ１に対して矢印方向に変位しており、このＰ１，Ｐ２間の変位量がシフト量Ｘに対応する（図３参照）。このため、カム部１７の回動範囲を変えることによって、シフト量Ｘを適宜変えることが可能である。
【００４５】
また、上述したように、係止バネ２０に弾性部２５ａが形成されており、それ自体が上下動、又は僅かな前後方向への変化が許容できるようになっている。このため、カム部１７が受止位置から回動した際、その支点が下方、又はやや後方に僅かに動くことが可能となり、緊締レバー１５を完全に倒伏状態にすることが可能となる。
【００４６】
以上のように、緊締レバー１５の締付け時において、移動フード本体９は、上述したシフト量Ｘ分だけ強制的に前方にシフトされるため（支持部１２の前縁１２ａが係止バネ２０の張出部２１の後縁に当て付いた状態となる）、移動フード本体９のリール脚受入部１０をリール脚の表面に押圧して、締付け力を向上することができる。この場合、移動フード本体９を固定フード側にシフトさせる手段は、受止位置を支点としたカム部１７のカム作用を利用しているため、移動フード本体をシフトさせるのに必要とする力は、上述した従来の構成よりも小さくすることができ、かつ内壁面１２ｂを曲面状に形成したことで、倒伏操作をスムースに行えるようになる。さらに、係止バネ２０に弾性部２５ａを形成したことで、後縁１９ｂによって内壁面１２ｂを押圧する際、支点位置が下方、又はやや後方に僅かに移動するため、その倒伏操作がよりスムースに行なえると共に、受止手段の破損等を防止することができ、また、完全に倒伏が行なえるようになって握持性、操作性が向上する。
【００４７】
上述した係止バネ２０に形成されている孔部２６は、突起１９ｃと協働することで、カム部１７の下端を後方に移動させないように受け止めるが、係止バネ２０の作動面２５は、本実施形態の場合、逆に前方への移動をフリーにさせる形状（これは、突起１９ｃの動きを止めない形状であって、孔部後端２６ａから前方への所定の範囲で山部や谷部のない略平坦な形状）となっており、緊締レバー１５を起こした際、前縁１９ａは、全体としての動きが阻害されることなく、前方へ摺動することが可能となっている。また、受止位置においては、作動面２５の表面をある程度粗面化しておく等して、前縁１９ａと作動面との間の摩擦抵抗を大きくし、カム部１７が起立方向に回動した際、その下端部が滑らない程度にしておくのが好ましい。
【００４８】
上記した構成によれば、リール脚を取外すべく、緊締レバー１５を倒伏状態から起こすと、支持部１２は係止バネ２０の張出部２１からシフト量Ｘだけ後方に移動され、図３に示すような状態に戻る。以下、この作用について説明する。
【００４９】
緊締レバー１５が図８の点線で示した状態から起こされると、カム部１７は、実線で示す位置に回動される。カム部１７における後縁１９ｂは、係止バネ２０の弾性力によって内壁面１２ｂに所定の押圧力で押圧されているため、カム部１７が回動されると、それに伴って内壁面１２ｂを押圧し、支持部１２は後方にシフトされる。この場合、受止位置においては、上記のように前縁１９ａと作動面２５との間の摩擦抵抗が大きくなるように構成しているため、カム部１７の下端は前方に滑ることなく、後縁１９ｂは内壁面１２ｂを押圧して、支持部１２を確実に後方にシフトさせることができる。
【００５０】
そして、さらに、緊締レバー１５を起立させると、前縁１９ａは、作動面２５を離れるように回動して行くため、作動面上を前方に摺動するようになり、これにより係止バネ２０の押圧関係が解除されて、係止バネ２０の爪部２２は係止凹凸部３ｂから外れる。すなわち、係止バネ２０の爪部２２が係止凹凸部３ｂから外れる前に、移動フード本体９は、係止バネ２０に対して後方側にシフトされており、図３に示す状態となっている。
【００５１】
また、上述したように、係止バネ２０の前端部には、爪部２２側を上方に跳ね上げる付勢力を与えるような弾性部が形成されているため、緊締レバー１５を起立させる際に、その付勢力によってカム部１７を起立方向に回動させ易くなり、緊締レバーの起立操作がスムースに行なえるようになる。
【００５２】
次に、上述したリール脚固定装置にリールを着脱する際、移動フード本体９、緊締レバー１５、係止バネ２０の関係、及び作用を纏めて説明する。
【００５３】
リール脚の固定時、緊締レバー１５は起立されて、係止バネ２０の爪部２２は係止凹凸部３ｂから離れており、移動フード本体９は、係止バネ２０に対してシフト量Ｘだけ後方にシフトした状態にある（図３参照）。
【００５４】
この状態で、リール脚を固定フード５と移動フード本体９との間に配し、移動フード本体９をリール脚Ｌの後端面に当て付け（図４参照）、緊締レバー１５の操作部１６を押圧して、緊締レバーを倒伏させる（図５及び図６参照）。
【００５５】
この際、上述したように、側片部１９の後縁１９ｂが、受止位置を支点としたカム作用をなして、移動フード本体９をシフト量Ｘだけ前方にシフトさせる。すなわち、移動フード本体９が前方にシフトさせられることで、リール脚に対する締付け力が向上し、取付けられたリールがガタ付くようなことはない。
【００５６】
そして、リールを取外すにあたって緊締レバー１５を起立させると、上述したように、係止爪２２が係止凹凸部３ｂから外れる前に、移動フード本体９は係止バネ２０に対して後方に移動されている。すなわち、リールが取外し可能な状態となったとき（係止爪２２が係止凹凸部３ｂから外れた後）には、常に移動フード本体９は係止バネ２０に対して後方に移動されているため、次回のリールの装着時においても、確実に移動フード本体９の前方へのシフトによる締付け作用が得られるようになる。なお、緊締レバー１５を起立させると、圧接状態にあるリール脚Ｌからの反発力によって、移動フード本体９は後方への力を受けるので、係止バネに対する移動フード本体９の後方へのシフトはより確実となる。
【００５７】
次に、本発明のリール脚固定装置の各種変形例について説明する。
図９は、移動フードに組み付けられる係止バネの各種変形例を示す図である。図９（ａ）に示す係止バネ４０は、表面の所定位置に、上方に立ち上がる立上げ部４０ａを形成することによって、カム部の前縁１９ａ（この例では、突起１９ｃは不要となる）の後方移動を規制する受止位置Ｓを形成したものである。このように構成することで、係止バネの形状のみでカム部の前縁１９ａの後方移動を規制することが可能となり、受止手段の構成が簡略化される。
【００５８】
この変形例においても、受止位置Ｓの近傍を粗面化しておくことで、カム部の下端に摩擦力を与えて停止状態にさせ、移動フードを後方にシフトさせやすくすることができる。また、この変形例においても、係止バネ４０が上下動し易やすいように、或いは全体として僅かな前後方向への変化を許容するように、屈曲した弾性部４１を形成しておくことが望ましい。
【００５９】
なお、上記したような作用を与える弾性部を形成する位置は特に限定されることはないが、カム部の回動が妨げられないように、図８に示すように、バネ受け面１１の直ぐ後方領域に位置するように形成することが望ましい。また、この変形例においても、図７に示した構成と同様、移動フードのバネ押え部９ａによって押え付けられる前端部４３に、爪部４２側を上方に跳ね上げる付勢力を与えるような弾性部を形成することが望ましい。
【００６０】
図９（ｂ）に示す係止バネ５０は、その表面の所定位置に、上方に立ち上がる立上げ部５０ａを形成することで受止位置Ｓを形成しており、さらに、受止位置Ｓから基端側に向けて、略平坦状で次第に上昇させることにより、係止バネ５０が上下動し易やすいように、或いは全体として僅かな前後方向への変化を許容する弾性部５１を形成している。
【００６１】
この変形例によれば、緊締レバー１５を起立させる際に、カム部１７の前縁１９ａ（この例では、突起１９ｃは不要となる）がその上昇面によってある程度の抵抗を受けるため、受止位置Ｓの近傍を粗面化することなく、係止部１２の内壁面１２ｂを介して移動フード本体９を後方にシフトさせることができる。また、この変形例においても、図７に示した構成と同様、移動フードのバネ押え部９ａによって押え付けられる前端部５３に、爪部５２側を上方に跳ね上げる付勢力を与えるような弾性部を形成することが望ましい。
【００６２】
図９（ｃ）に示す係止バネ６０は、その表面の所定位置に、上方に立ち上がる立上げ部６０ａを形成することで受止位置Ｓを形成しており、かつその基端側において、上面側及び下面側に湾曲する弾性部６１ａ，６１ｂを形成したものである。
【００６３】
この変形例によれば、上記した構成の係止バネと比べると、係止バネ６０がさらに上下動、或いは全体として前後方向へ変化しやすくなり、緊締レバーの締付け動作がスムースに行なえ、かつ倒伏を完全に行なうことが容易になる。また、この変形例においても、図７に示した構成と同様、移動フードのバネ押え部９ａによって押え付けられる前端部６３に、爪部６２側を上方に跳ね上げる付勢力を与えるような弾性部を形成することが望ましい。
【００６４】
なお、上述した各係止バネに形成される弾性部は、上述した公知技術に開示されている係止バネの構成（谷部を形成した板バネ構造）においても、効果的である。すなわち、谷部よりも前端側に、上記したような弾性部４１，５１、あるいは６１ａ，６１ｂを形成しておくことで、係止バネが上下動や、又は前後方向に変化しやすくなるので、そこに係合する緊締レバーのカム面の移動をスムースに行なえるようになる。また、上記した構成と同様、前端部に、爪部側を上方に跳ね上げる付勢力を与えるような弾性部を形成しておくことで、その付勢力によって、緊締レバーの起立操作時に、カム部をスムースに回動させることができるようになる。
【００６５】
図１０は、リール脚固定装置の別の実施形態を示す図である。
上記した実施形態では、リール脚固定装置をシート状に形成して、シート本体の両端に形成された足部を介して竿管に固定するように構成されていたが、この実施形態のリール脚固定装置は、シート本体７０に平坦状のリール載置面７０ａを形成し、かつ全体を筒状に形成している。この場合、シート本体７０は、予め筒状に成形しておいて、これを竿管Ｒに圧入しても良いし、竿管材料（ＦＲＰ）と共に一体的に形成しても良い。
【００６６】
このように、シート本体の形状は、適宜変形することができ、限定されることはない。また、この構成では、シート本体７０に固定フード７１を形成すると共に、軸方向に延出する案内溝７２を形成し、そこに移動フード７５の係合部を係合させて前後方向にスライドさせるように構成している。また、シート本体の、リール脚固定装置の反対側は、握り性を向上するために、滑り止め７７を形成し、その握持性の向上を図っている。
【００６７】
このような構成のリール脚固定装置においても、上述した実施形態や変形例の構成と同様な作用、効果が得られる。
【００６８】
また、本発明は、上述した実施形態や変形例の構成を任意に組み合わせ実施することが可能である。さらに、上述した実施の形態では、対向配置されたフードを固定フードと移動フードとしたが、両方を移動フードとして構成することができる。このような構成によれば、リール脚の載置位置が調整できる。
【００６９】
【発明の効果】
本発明によれば、リールの装着時において、緊締レバーによって移動フードを固定する際、常に、移動フードの前方へのシフト作用が得られるので、リール脚をガタ付かせること無く、確実に固定できる。更には、緊締レバーを起立、倒伏操作する際、その操作がスムースに行なえるようになる。
【図面の簡単な説明】
【図１】本発明に係るリール脚固定装置の第１の実施形態を示す平面図。
【図２】リール脚固定装置の側面図。
【図３】緊締レバーを起こした状態を示す移動フード部分の拡大平面図。
【図４】緊締レバーを起こした状態を示す移動フード部分の縦断面図。
【図５】緊締レバーを途中まで倒した状態を示す移動フード部分の縦断面図。
【図６】緊締レバーを倒した状態を示す移動フード部分の縦断面図。
【図７】係止バネの構成を示す図であり、（ａ）は平面図、（ｂ）は側面図、（ｃ）は正面図。
【図８】緊締レバーを倒伏している途中の状態を示しており、受止手段の作用を説明する図。
【図９】本発明の変形例を示す図であり、（ａ）〜（ｃ）は、それぞれ係止バネの変形例を示す断面図。
【図１０】本発明に係るリール脚固定装置の第２の実施形態を示す図。
【符号の説明】
１  リール脚固定装置
３  シート本体
３ｂ  係止凹凸部
５  固定フード
７  移動フード
１２  支持部
１２ｂ  内壁面
１５  緊締レバー
１７  カム部
１９ａ  前縁
１９ｂ  後縁
１９ｃ  突起
２０，４０，５０，６０  係止バネ
２２，４２，５２，６２  爪部
２６  孔部
【図１】
0004375771.tif 000002
【図２】
0004375771.tif 000003
【図３】
0004375771.tif 000004
【図４】
0004375771.tif 000005
【図５】
0004375771.tif 000006
【図６】
0004375771.tif 000007
【図７】
0004375771.tif 000008
【図８】
0004375771.tif 000009
【図９】
0004375771.tif 000010
【図１０】
0004375771.tif 000011